(57)【要約】      （修正有）【課題】悪環境化であっても多様な外部装置を接続して使用できる高機能な耐環境型コンピューターを提供する。【解決手段】外部装置に接続可能なコンピューター本体３１と、コンピューター本体を冷却する冷却ユニット５０と、防塵、防滴、防塩を含む耐環境手段及び耐振動手段を備えコンピューター本体を収納するＰＣ収納ケース３０と、冷却ユニット及びＰＣ収納ケースを収納する全体ケース２０とを備え、全体ケースは、耐環境手段、及び耐振動手段を備えＰＣ収納ケース及び冷却ユニットを収納すると共に、耐環境手段を備えて外気の導入排出を行う送気装置８０及び外部装置が接続される養生外部接続端子９２〜９４、９７及び外部電力が供給される養生電力入力端子９５を備え、ＰＣ収納ケースは、全体ケースを介して電力を受け入れる電力入力端子、全体ケースを介して外部装置が接続される外部接続端子、及び冷却ユニットとの接続ポートを備える。【選択図】図１
0003227375.tif 000002
【実用新案登録請求の範囲】
【請求項１】
外部装置に接続可能であり、ＣＰＵでプログラムを実行することにより情報処理を行うコンピューター本体と、前記コンピューター本体とは別個に配置され、前記コンピューター本体を冷却する冷却ユニットと、防塵、防滴、防塩を含む耐環境手段、及び耐振動手段を備え、前記コンピューター本体を収納するＰＣ収納ケースと、前記冷却ユニット及び前記ＰＣ収納ケースを収納する全体ケースと、を備え、
前記全体ケースは、防塵、防滴、防塩を含む耐環境手段、及び耐振動手段を備え、前記ＰＣ収納ケース及び前記冷却ユニットを収納すると共に、防滴性、防塵性、及び防塩性を備えて外気の導入排出を行う送気装置、及び前記外部装置が接続される養生外部接続端子、及び外部電力が供給される養生電力入力端子を備え、
前記ＰＣ収納ケースは、前記全体ケースを介して電力を受け入れる電力入力端子、前記全体ケースを介して前記外部装置が接続される外部接続端子、及び前記冷却ユニットとの接続ポートを備えることを特徴とする耐環境型コンピューター。
【請求項２】
前記全体ケースはケース本体と、前記ケース本体に開閉可能に配置された蓋部材とを備え、
前記蓋部材は、閉状態では前記全体ケースに対する防水性及び防塵性を備え、
前記ケース本体の前記蓋部材を開状態としたとき外部に露出する位置には、前記コンピューター本体に接続されたモニターとキーボードとが配置されていることを特徴とする請求項１に記載の耐環境型コンピューター。
【請求項３】
前記全体ケースはケース本体と、前記ケース本体に開閉可能に配置された蓋部材とを備え、
前記蓋部材は、閉状態では前記全体ケースに対する防水性及び防塵性を備え、
前記蓋部材の前記全体ケース側には、前記コンピューター本体に接続されたモニターが配置され、
前記ケース本体の前記蓋部材を開状態としたとき外部に露出する位置には、前記コンピューター本体に接続されたキーボードが配置されていることを特徴とする請求項１に記載の耐環境型コンピューター。
【請求項４】
前記ＰＣ収納ケース及び前記全体ケースは金属製であることを特徴とする請求項１に記載の耐環境型コンピューター。
【請求項５】
前記全体ケースの前記送気装置には、前記ケース本体内への水滴の浸入を防ぐ防水ルーバーと、外気から塩分及び粉塵を除去するフィルタと、を備えることを特徴とする請求項１に記載の耐環境型コンピューター。
【請求項６】
前記冷却ユニットは、冷媒をコンピューター本体に循環させる循環ポンプ、前記冷媒の熱交換を行い冷却するラジエター、及び前記ラジエターに空気を吹き付ける冷却ファンを備えることを特徴とする請求項１に記載の耐環境型コンピューター。
【請求項７】
前記コンピューター本体は、ＧＰＵを備えたグラフィックボード、映像キャプチャーボードを含むことを特徴とする請求項１に記載の耐環境型コンピューター。
【請求項８】
前記ＰＣ収納ケースの外部接続端子、及び前記全体ケースの養生外部接続端子は、ＵＳＢ、ＨＤＭＩ（登録商標）、ＳＤＩ、及びＬＡＮのうち少なくとも一つを含むことを特徴とする請求項１に記載の耐環境型コンピューター。
【考案の詳細な説明】
【技術分野】
【０００１】
本考案は、劣悪な環境下で使用できるコンピューターに関する。
【背景技術】
【０００２】
従来、多粉塵、高湿度等の悪環境下でコンピューターを使用するため、コンピューターを密閉箱中に配置するものが提案されている。
【０００３】
特許文献１には、情報処理コンピューターと、このコンピューターにて処理された情報を表示するディスプレイと、情報処理コンピューターを密閉状態で収容する収容ケースと、収容ケース内を前記情報処理コンピューターの動作可能な温度に調節する温度調節装置と、を備え、温度調節装置は、収容ケース内の空気の循環を促進するための内部空気循環手段、及び収容ケース内の熱の外気への放出を促進する外部放熱手段の少なくともいずれかと、収容ケース内の空気、発熱源、内部伝熱手段から前記収容ケース外の空気又は外部放熱手段へ伝熱する内外伝熱手段と、を有する環境型ターミナルが記載されている。
【０００４】
また、特許文献２には、コンピューターシステムを粉塵による障害から守るための装置であって、空気清浄機で生成され機器を覆う防塵箱内に供給されコンピューター本体や表示装置の冷却に使用された清浄空気が、防塵箱に設けられた所定の穴からキーボードなどのコンピューター入力装置に噴き出すようにし、コンピューター入力装置も粉塵から守るようにしたことを特徴とするコンピューター防塵装置が記載されている。
【先行技術文献】
【特許文献】
【０００５】
【特許文献１】特開２００３−５８２６７号公報
【特許文献２】特開２００６−３２３５２２号公報
【考案の概要】
【考案が解決しようとする課題】
【０００６】
悪天候の屋外で高性能のコンピューターを使用したいという要望がある。このような例として、悪天候中や海上での土木工事現場の状態を監視したり確認をしたりすることがある。この場合、高解像度で３６０度にわたり施工現場を撮影して撮影データを監視装置の配置箇所に配信する。また、屋外で実施されるeスポーツの対戦動画をネット配信することもその例となる。
【０００７】
しかし、特許文献１、２が開示された技術は、悪環境下で高負荷稼働が可能なシステムを実現できない。即ち、高性能なコンピューターを単に密閉箱に配置するだけでは、高負荷による発熱の影響が考慮されていないし、また必要とされる多様な周辺外部機器との接続や、コンピューターの設定作業を行うことについて考慮されていない。
【０００８】
そこで、本考案は、悪環境化であっても多様な外部装置を接続して使用できる高機能な耐環境型コンピューターを提供することを課題とする。
【課題を解決するための手段】
【０００９】
前記課題を解決する請求項１に記載の考案は、外部装置に接続可能であり、ＣＰＵでプログラムを実行することにより情報処理を行うコンピューター本体と、前記コンピューター本体とは別個に配置され、前記コンピューター本体を冷却する冷却ユニットと、防塵、防滴、防塩を含む耐環境手段、及び耐振動手段を備え、前記コンピューター本体を収納するＰＣ収納ケースと、前記冷却ユニット及び前記ＰＣ収納ケースを収納する全体ケースと、を備え、前記全体ケースは、防塵、防滴、防塩を含む耐環境手段、及び耐振動手段を備え、前記ＰＣ収納ケース及び前記冷却ユニットを収納すると共に、防滴性、防塵性、及び防塩性を備えて外気の導入排出を行う送気装置、及び前記外部装置が接続される養生外部接続端子、及び外部電力が供給される養生電力入力端子を備え、前記ＰＣ収納ケースは、前記全体ケースを介して電力を受け入れる電力入力端子、前記全体ケースを介して前記外部装置が接続される外部接続端子、及び前記冷却ユニットとの接続ポートを備える、ことを特徴とする耐環境型コンピューターである。
【００１０】
同じく請求項２に記載の考案は、請求項１に記載の考案において、前記全体ケースはケース本体と、前記ケース本体に開閉可能に配置された蓋部材とを備え、前記蓋部材は、閉状態では前記全体ケースに対する防水性及び防塵性を備え、前記ケース本体の前記蓋部材を開状態としたとき外部に露出する位置には、前記コンピューター本体に接続されたモニターとキーボードとが配置されていることを特徴とする。
【００１１】
同じく請求項３に記載の考案は、請求項１に記載の考案において、前記全体ケースはケース本体と、前記ケース本体に開閉可能に配置された蓋部材とを備え、前記蓋部材は、閉状態では前記全体ケースに対する防水性及び防塵性を備え、前記蓋部材の前記全体ケース側には、前記コンピューター本体に接続されたモニターが配置され、前記ケース本体の前記蓋部材を開状態としたとき外部に露出する位置には、前記コンピューター本体に接続されたキーボードが配置されていることを特徴とする請求項１に記載の耐環境型コンピューター。
【００１２】
同じく請求項４に記載の考案は、請求項１に記載の考案において、前記ＰＣ収納ケース及びケースは金属製であることを特徴とする。
【００１３】
同じく請求項５に記載の考案は、請求項１に記載の考案において、前記全体ケースの前記送気装置には、前記ケース本体内への水滴の浸入を防ぐ防水ルーバーと、外気から塩分及び粉塵を除去するフィルタと、を備えることを特徴とする。
【００１４】
同じく請求項６に記載の考案は、請求項１に記載の考案において、前記冷却ユニットは、冷媒をコンピューター本体に循環させる循環ポンプ、前記冷媒の熱交換を行い冷却するラジエター、及び前記ラジエターに空気を吹き付ける冷却ファンを備えることを特徴とする。
【００１５】
同じく請求項７に記載の考案は、請求項１に記載の考案において、前記コンピューター本体は、ＧＰＵを備えたグラフィックボード、映像キャプチャーボードを含むことを特徴とする。
【００１６】
同じく請求項８に記載の考案は、請求項１に記載の考案において、前記ＰＣ収納ケースの外部接続端子、及び前記全体ケースの養生外部接続端子は、ＵＳＢ、ＨＤＭＩ（登録商標）、ＳＤＩ、及びＬＡＮのうち少なくとも一つを含むことを特徴とする。
【考案の効果】
【００１７】
本考案に係る耐環境型コンピューターによれば、悪環境化であっても多様な外部装置を接続して使用できる。即ち、本考案によれば、加熱、水分、塵埃、塩分、結露、振動による障害発生を防止できる。
【００１８】
請求項１に記載の考案によれば、コンピューター本体は、外部装置に接続可能であり、ＣＰＵでプログラムを実行することにより情報処理を行い、冷却ユニットは、前記コンピューター本体とは別個に配置され、前記コンピューター本体を冷却する。このため、コンピューター本体の過熱を防止でき、コンピューター本体の性能を維持することができる。
【００１９】
また、ＰＣ収納ケースは、防塵、防滴、防塩を含む耐環境手段、及び耐振動手段を備え、前記コンピューター本体を収納し、全体ケースは、前記冷却ユニット及び前記ＰＣ収納ケースを収納する。そして、全体ケースは、防塵、防滴、防塩を含む耐環境手段、及び耐振動手段を備え、前記ＰＣ収納ケース及び前記冷却ユニットを収納する。このため、コンピューター本体は、ＰＣ収納ケースと全体ケースとで二重に耐環境対策と防振対策がなされ、劣悪な環境化でも使用でき、耐環境型コンピューターの移動等の振動に対して影響を受けることがない。
【００２０】
更に、全体ケースには、防滴性、防塵性、及び防塩性を備えて外気の導入排出を行う送気装置、及び前記外部装置が接続される養生接続端子及び電力の養生入力端子を備え、前記ＰＣ収納ケースは、前記全体ケースを介して、電力を受け入れる入力端子、前記外部装置接続される外部接続端子、及び前記冷却ユニットとの接続ポートを備える。このため、全体ケースの送気装置から水滴、塵芥、塩分が内部に侵入することが防止される他、全体ケースの養生入力端子や養生外部接続端子から水滴、塵芥、塩分が全体ケースの内部に侵入することがない。
【００２１】
また、請求項２に記載の耐環境型コンピューターによれば、前記全体ケースはケース本体と、前記ケース本体に開閉可能に配置された蓋部材とを備え、前記蓋部材は、閉状態では前記全体ケースに対する防水性及び防塵性を備えており、前記ケース本体の前記蓋部材を開状態としたとき外部に露出する位置には、前記コンピューター本体に接続されたモニターとキーボードとが配置されている。
【００２２】
このため、蓋部材を開けた状態で、モニターを視認できると共に、キーボードの操作を行うことができる。そして、これらの操作等が終了した段階で蓋部材を閉状態とすれば、耐環境型コンピューターは耐環境性を備える状態となる。よって、モニターやキーボードを新たに配置することなくコンピューター本体の調整、設定等をモニターやキーボードを新たに配置することなく行える。
【００２３】
また、請求項３に記載の耐環境型コンピューターによれば、前記全体ケースはケース本体と、前記ケース本体に開閉可能に配置された蓋部材とを備え、前記蓋部材は、閉状態では前記全体ケースに対する防水性及び防塵性を備えており、前記蓋部材の前記全体ケース側には、前記コンピューター本体に接続されたモニターが配置されており、前記ケース本体の前記蓋部材を開状態としたとき外部に露出する位置には、前記コンピューター本体に接続されたキーボードが配置されている。
【００２４】
このため、蓋部材を開けた状態で、モニターを視認できると共に、キーボードの操作を行うことができる。そして、これらの操作等が終了した段階で蓋部材を閉状態とすれば、耐環境型コンピューターは耐環境性を備える状態となる。よって、モニターやキーボードを新たに配置することなくコンピューター本体の調整、設定等をモニターやキーボードを新たに配置することなく行える。
【００２５】
また、請求項４に記載の耐環境型コンピューターによれば、前記ＰＣ収納ケース及び前記全体ケースは金属製である。このため、耐水性、体塩性、耐久性、及び放熱性に優れ、衝撃に対しても破損や変形することなく、コンピューター本体や冷却ユニットを保護することができる。
【００２６】
また、請求項５に記載の耐環境型コンピューターによれば、前記全体ケースの前記送気装置には、前記ケース本体内への水滴の浸入を防ぐ防水ルーバーと、外気からの塩分及び粉塵を除去するフィルタとを備える。よって、送気装置から水滴、塩分、粉塵が全体ケース内に侵入することを防止できる。このため、コンピューター本体や冷却ユニットや各種配線及び接続部材を水滴、塩分、粉塵で損傷することを防止できる。
【００２７】
また、請求項６に記載の耐環境型コンピューターによれば、前記冷却ユニットは、冷媒をコンピューター本体に循環させる循環ポンプ、前記冷媒の熱交換を行い冷却するラジエター、及び前記ラジエターに空気を吹き付ける冷却ファンを備える。よって、ＰＣ収納ケース内のコンピューター本体を効率良く冷却できる。また、ＰＣ収納ケースにファン等を配置する必要がないので、ＰＣ収納ケースの密閉性、耐環境性を損なうことがない。
【００２８】
更に、請求項７に記載の耐環境型コンピューターによれば、前記コンピューター本体は、ＧＰＵを備えたグラフィックボード、映像キャプチャーボードを含む。よって、高度の処理能力を必要とする映像処理、映像キャプチャー、映像配信等を高性能に行うことができる。
【００２９】
そして、請求項８に記載の耐環境型コンピューターによれば、前記ＰＣ収納ケースの外部接続端子、及び前記全体ケースの養生外部接続端子は、ＵＳＢ、ＨＤＭＩ（登録商標）、ＳＤＩ、及びＬＡＮのうち少なくとも一つを含む。よって、外部装置として様々な機能を有する装置を接続できる。
【図面の簡単な説明】
【００３０】
【図１】本考案の実施形態に係る耐環境型コンピューターをその内部構成と共に示す斜視模式図である。
【図２】同耐環境型コンピューターのＰＣ収納ケースに配置したコネクタパネルを示す模式図である。
【図３】同耐環境型コンピューターのケースに配置した養生コネクタパネルを示す模式図である。
【図４】同耐環境型コンピューターの使用状態を示す斜視模式図である。
【図５】同耐環境型コンピューターを屋外に配置して運用する状態の一例を示す模式図である。
【図６】本考案の第２実施形態に係る耐環境型コンピューターをその内部構成と共に示す斜視模式図である。
【考案を実施するための形態】
【００３１】
本考案を実施するための形態に係る耐環境型コンピューターについて説明する。
【００３２】
＜第１実施形態＞
まず本考案の第１実施形態に係る耐環境型コンピューターについて説明する。図１は本考案の実施形態に係る耐環境型コンピューターをその内部構成と共に示す斜視模式図、図２は同耐環境型コンピューターのＰＣ収納ケースに配置したコネクタパネルを示す模式図、図３は同耐環境型コンピューターのケースに配置した養生コネクタパネルを示す模式図、図４は同耐環境型コンピューターの使用状態を示す斜視模式図、図５は同耐環境型コンピューターを屋外に配置して運用する状態の一例を示す模式図である。
【００３３】
〔耐環境型コンピューター１０の使用形態〕
本実施形態に係る耐環境型コンピューター１０は、海上での土木工事現場における施工状態の監視や確認するため高解像度で３６０度にわたり施工現場を撮影して撮影データを監視装置に配信することを想定している。近年、土木、建築現場では、新技術を活用したシステムの使用を求められており、このようなシステムを使用する際には、高スペックのコンピューターを使用しなければならないケースが多い。
【００３４】
また、他の映像業界や高スペックカメラ（４Ｋ、８Ｋ、３６０°カメラ）を使用した映像収録、処理、配信する業界での使用も同様に高スペックのコンピューターを必要とする。更に、土木、建築でも同様のカメラを使用することが望まれている。そして、ＡＲ、ＶＲ、ＭＲ、ＡＩ、ＰＣゲーム、ｅスポーツ等への適用をも考慮すると、これらの場合も上述した例と同様にコンテンツの容量が大きく、これを処理する高スペックのコンピューターが要望されている。本実施形態に係る耐環境型コンピューターは、各使用形態において、高スペックのコンピューターを悪条件下において屋外で使用することを可能とする。
【００３５】
〔耐環境型コンピューター１０の概略構成〕
以下、耐環境型コンピューター１０の構成について説明する。図１に示すように、耐環境型コンピューター１０は、全体ケース２０内にＰＣ収納ケース３０と、冷却ユニット５０とを配置して構成される。ＰＣ収納ケース３０には、コンピューター本体３１が配置される。
【００３６】
耐環境型コンピューター１０には、外部装置として上記各装置の他、各種撮像装置、画像処理装置、ルーター、ＡＲ機器、ＶＲ機器、映像編集装置、映像処理装置を接続することや、各種装置に電力を供給することができる。なお、耐環境型コンピューター１０は、他の用途に使用することができ、必要に応じて外部装置を適宜選択して接続する。
【００３７】
〔ＰＣ収納ケース３０〕
ＰＣ収納ケース３０は、防塵、防滴、防塩を含む耐環境手段、及び耐振動手段を備える。全体ケース２０は全体を金属、例えばステンレス板で形成した箱状体であり、箱体の一つの側面にコネクタパネル４０を備える。コネクタパネル４０には、外部接続端子として各種コネクタ（端子）が配置されている。本例ではＰＣ収納ケース３０を金属であるステンレス板で形成としているので、放熱性に優れる、防錆性が良好である。なお、ＰＣ収納ケース３０を他の金属、例えばアルミニウム板で形成することができる。
【００３８】
ＰＣ収納ケース３０は、防塵、防滴、防衛を含む耐環境手段として、ゴムシール等の公知の手段を使用している。耐振動手段は、ゴムやジェルを使用することができ、耐衝撃性を備える。本例では、防振ゴム脚１１２をＰＣ収納ケース３０の下面の４箇所に配置している。また、ＰＣ収納ケース３０は、全体ケース２０に防振性、耐衝撃性を損ねない状態で全体ケース２０にネジ等で固定されている。また、冷却ユニット５０も同様に耐震、耐衝撃性を備えつつ全体ケース２０にネジ等で固定されている。
【００３９】
コネクタパネル４０には、図２に示すように、ＰＣ電源スイッチ４１と外部接続端子とが配置されている。本例では、コネクタパネル４０は、外部接続端子である６個のＵＳＢ３．２コネクタ４２、２個のＬＡＮコネクタ４３、ＨＤＭＩ（登録商標）２．０出力コネクタ４４、ＳＤＩコネクタ４５、ＨＤＭＩ（登録商標）２．０ａ出力コネクタ４６、４個のＨＤＭＩ（登録商標）２．０ｂ入力コネクタ４７の他、電力入力端子４８、５個の電力出力端子４９を備える。
【００４０】
〔コネクタパネル４０〕
また、コネクタパネル４０には、冷却ユニット５０からの冷媒を吸入、排出するためのチューブが接続される接続ポートが配置されている。本例では、接続ポートとして、冷媒吸入ポート１０１Ａ、冷媒排出ポート１０２Ａを備える。これらの冷媒吸入ポート１０１Ａ及び冷媒排出ポート１０２Ａには、冷却ユニット５０からの冷媒導入チューブ１０１、及び冷媒排出チューブ１０２が接続されている。
【００４１】
ＰＣ電源スイッチ４１を操作することでコンピューター本体３１をオン、オフする。ＵＳＢ３．２コネクタ４２には、後述する送風装置である外気導入ファン８１、内気排出ファン８２がＵＳＢケーブル１２１により接続されて回転数等が制御される他、後述する蓋内コネクタパネル７０を経由してキーボード６２や外付けＳＳＤメモリ６３がＵＳＢケーブル１２１で接続されている。また外部にＷｉ−Ｆｉ装置が配置されていない場合、必要によりＷｉ−Ｆｉ装置を接続することができる。
【００４２】
外付けＳＳＤメモリ６３には、処理前、処理後の映像データや配信する映像データを格納する。蓋内コネクタパネル７０には、図示していないＵＳＢ３．２コネクタ等のコネクタや電源出力を配置することができる。これらは必要に応じて接続される。
【００４３】
ＬＡＮコネクタ４３には、後述する養生コネクタパネル９０の養生外部接続端子である養生ＬＡＮコネクタ９２からのケーブルが接続されている。また、養生外部接続端子であるＨＤＭＩ（登録商標）２．０出力コネクタ４４はモニター６１に接続されている。
【００４４】
更に、ＳＤＩコネクタ４５は、養生外部接続端子である養生コネクタパネル９０の養生ＳＤＩコネクタ９３に接続され、ＨＤＭＩ（登録商標）２．０ａ出力コネクタ４６は、養生外部接続端子である養生ＨＤＭＩ（登録商標）２．０ａ出力コネクタ９４に接続されている。そして、ＨＤＭＩ（登録商標）２．０ｂ入力コネクタ４７は、養生ＨＤＭＩ（登録商標）２．０ｂ入力コネクタ９７に接続されている。
【００４５】
更に、電力入力端子４８には、後述する養生外部接続端子である養生電力入力端子９５からの電源プラグが接続されている。また、電力出力端子４９には、モニター６１、外気導入ファン８１、内気排出ファン８２の駆動電力供給装置が接続されている。この駆動電力供給装置はＵＳＢ電力で外気導入ファン８１、内気排出ファン８２を駆動できない場合に使用される。
【００４６】
〔コンピューター本体３１〕
コンピューター本体３１は、ＣＰＵ(Central  Processing  Unit)によりプログラムを実行することにより所定の情報処理を行う。本実施形態では、コンピューター本体３１は、映像処理や配信を行える高機能のものであり、コンピューター本体３１の構成は公知である。即ち、コンピューター本体３１は、電源装置、マザーボード、高クロックで動作するＣＰＵ、メインメモリである大容量メモリ(例えば３２ＧＢ)、高速大容量の内蔵ストレージ（例えばＭ．２ＳＳＤ：１ＴＢ）、ＧＰＵ（Graphics  Processing  Unit）を内蔵したビデオボード、及び映像キャプチャー装置等を備える。
【００４７】
本実施形態では、ＣＰＵとＧＰＵとは、冷媒（例えば精製水）で冷却される。また、冷媒は冷却ユニット５０に循環されて冷却される。ケース本体２１には、冷媒循環用のポンプ、リザーバタンクを備え、冷媒を冷却ユニット５０に送出する。
【００４８】
〔冷却ユニット５０〕
冷却ユニット５０は、ラジエターとこのラジエターに空気を吹き付けるファン（例えば４台）を備える。
【００４９】
〔全体ケース２０〕
全体ケース２０は、ケース本体２１と、蓋部材２２とで構成される。ケース本体２１には、ＰＣ収納ケース３０及び冷却ユニット５０が収納される。蓋部材２２は、ケース本体２１の上部に蝶番を介して開閉可能に配置されている。ケース本体２１の上面は蓋部材２２で覆われている。この蓋部材２２は、閉状態では水や塵芥が進入しないようにシール部材を介してケース本体２１の上側に配置されている。ケース本体２１、蓋部材２２は、金属、例えばステンレス板で形成している。また、蓋部材２２は、ケース本体２１に対して閉状態のとき密閉状態を保つロック装置を備えることが望ましい。本例では、ケース本体２１、蓋部材２２をステンレス板製としているので放熱性、防錆性が良好である。なお、ケース本体２１、蓋部材２２を他の金属、例えばアルミニウム板で形成することができる。
【００５０】
また、ケース本体２１の上面のうち蓋部材２２を開状態としたとき出する部分は、アルミニウム等の金属板からなる中蓋６０が配置されている。この中蓋６０により、ケース本体２１の上面は塞がれている。ここで、中蓋６０は、ケース本体２１との接合部における防滴、防塵、防塩性を確保するため、ケース本体２１との周囲接合部にゴムシール等を配置し、ケース本体２１にネジ止めする構成としている。そして、全体ケース２０は、防塵、防水（防滴）、耐震（耐衝撃を含む）を含む耐環境手段を備える。防塵、防水は、ゴムシール等の公知の手段を使用して実現する。耐振性は、ゴムやジェルを使用して実現することができ、耐衝撃性をも備えるものとする。本例では、防振ゴム脚１１１をケース本体２１の下面に４箇所配置している。なお、他の手段としてケース本体２１の内部底面にゴムシートやジェルシートを配置することができる。
【００５１】
ケース本体２１の対向する２つの側面には、送気装置８０として、上述した外気導入ファン８１と内気排出ファン８２とが配置されている。外気導入ファン８１から外気を取り入れ、内気排出ファン８２によりケース本体２１内で暖まった空気を排出する。これにより、冷却ユニット５０から排出された熱を外部に排出してケース本体２１の内部温度が所定の値より高くならないようにする。これにより、コンピューター本体３１の処理速度の低下を防止する。
【００５２】
外気導入ファン８１、内気排出ファン８２は、後述するＰＣ収納ケース３０のコネクタパネル４０に配置されたＵＳＢ３．２コネクタ４２に接続され、コンピューター本体３１によりファンの回転数が制御されている。外気導入ファン８１、内気排出ファン８２のファン駆動電力は、ＵＳＢ給電で足りない場合は後述するＰＣ収納ケース３０のコネクタパネル４０の電力出力端子４９から供給することができる。なお、全体ケース２０に配置する送気装置８０の数や配置は図示した例に限らず適宜変更できる。
【００５３】
〔養生コネクタパネル９０〕
全体ケース２０を構成するケース本体２１の一側面には、養生外部接続端子である各種の養生コネクタを配置した養生コネクタパネル９０が配置されている。各養生コネクタは、コネクタ本来の電気的機能を、防水性、抜け止め、耐衝撃性等を備えて実現するものである。図１では、コネクタの種類別に１個ずつを表示している。
【００５４】
本例では、図３に示すように、養生コネクタパネル９０には、養生ＰＣ電源スイッチ９１と、養生外部接続端子が配置されている。本例では、養生コネクタパネル９０は、養生外部接続端子である養生ＬＡＮコネクタ９２、養生ＳＤＩコネクタ９３、養生ＨＤＭＩ（登録商標）２．０ａs出力コネクタ９４、養生電力入力端子９５、養生電力出力端子９６、養生ＨＤＭＩ（登録商標）２．０ｂ入力コネクタ９７を備える。
【００５５】
本実施形態では、コネクタパネル４０と養生コネクタパネル９０とは、ＨＭＤＩケーブル１２２、ＳＤＩケーブル１２３、ＬＡＮケーブル１２４、ＡＣケーブル１２５で接続されている。
【００５６】
また、本実施形態では、養生ＰＣ電源スイッチ９１を操作することでコネクタパネル４０への電力をオンオフする。
【００５７】
養生ＬＡＮコネクタ９２には、外部からのＬＡＮケーブルを接続し、ＨＵＢを介してコネクタパネル４０のＬＡＮコネクタ４３に接続され、コンピューター本体３１に接続されている。養生ＬＡＮコネクタ９２には外部装置として他のコンピューター、ルーター、撮像装置が接続できる。
【００５８】
また、養生ＳＤＩコネクタ９３には外部装置として６ＧＳＤＩ対応機器、例えば映像編集、映像処理機器が接続される。この養生ＳＤＩコネクタ９３は、コネクタパネル４０のＳＤＩコネクタ４５に接続され、コンピューター本体３１に接続される。
【００５９】
養生ＨＤＭＩ（登録商標）２．０ａ出力コネクタ９４には、外部装置として外部モニターやＡＲ（Augmented  Reality：拡張現実）機器、ＶＲ（Virtual  Reality：仮想現実）機器等が接続される。更に、養生電力入力端子９５には、外部電源から１００Ｖの電力が供給され、養生電力出力端子９６のうち２個は外部機器に接続し、外部機器に電力を供給する。また、他のものは、モニター６１に電力を供給し、全体ケース２０に配置する外気導入ファン８１、内気排出ファン８２に電力を供給する。
【００６０】
〔第１実施形態の作用及び効果〕
第１実施形態に係る耐環境型コンピューター１０を海岸工事等の監視箇所に配置することを想定する。図５は同耐環境型コンピューターを屋外に配置して運用する状態の一例を示す模式図である。図５に示すように、耐環境型コンピューター１０には、交流１００Ｖの商用電源１３６から養生コネクタパネル９０の養生電力入力端子９５に電力を供給する。
【００６１】
更に、耐環境型コンピューター１０には、外部装置として例えば画角３６０°の高解像度カメラ１３１、外部モニター１３２、他のコンピューター１３３を接続し。インターネット１３４を介して現場から離れた位置に配置されたコンピューター（監視装置）１３５に高精度３６０°映像を配信する。また、監視装置１３５から耐環境型コンピューター１０、高解像度カメラ１３１等の遠隔操作を行う。耐環境型コンピューター１０の設定や調整は、蓋部材２２を開状態としてモニター６１の確認、キーボード６２を操作することにより行う。なお、本実施例では、蓋部材２２を開状態としても、中蓋６０とケース本体２１とは防滴性、防塵性、防塩性を備えて接合されているので、ケース本体２１内に水、塵芥、塩分が浸入することを防止できる。
【００６２】
そして、設定や調整が終了した後、蓋部材２２を閉状態としてロック装置を使用して蓋部材２２をケース本体２１に固定する。これにより、全体ケース２０内は防水、防滴、防塵、防塩状態とすることができ、更にケース本体２１は、全体ケース２０で防護された状態となる。このため、雨天や強風下の屋外においても、コンピューター本体３１を水、埃、塩分から保護して通常の環境と同様に高性能に運用することができる。
【００６３】
また、コンピューター本体３１は冷却ユニット５０で冷却される冷媒で冷却されるので、ＣＰＵやＧＰＵの温度が上昇してそれらの性能が低下することがない。そして、冷却ユニット５０からの熱は、全体ケース２０の外気導入ファン８１及び内気排出ファン８２により全体ケース２０の外部に排出され、外気が導入されるので、全体ケース２０の内部の温度が上昇することはない。
【００６４】
また、外気導入ファン８１及び内気排出ファン８２には、防水ルーバーと、外気からの塩分及び粉塵を除去するフィルタとが配置されている。このため、水分、粉塵、及び塩分が外気導入ファン８１、内気排出ファン８２から全体ケース２０内に浸入するのを防止できる。更に、全体ケース２０及びＰＣ収納ケース３０には、防振性、耐衝撃性を備える防振ゴム脚１１１、１１２を配置しているので、耐震性、耐衝撃性に優れている。
【００６５】
耐環境型コンピューター１０には、上記外部装置の他、各種撮像装置、画像処理装置、ルーター、ＡＲ機器、ＶＲ機器、映像編集装置、映像処理装置を接続することや、各種装置に電力を供給することができる。なお、耐環境型コンピューター１０は、他の用途に使用することができ、必要に応じて外部装置を適宜選択して接続する。
【００６６】
上記実施形態ではコンピューター本体３１と中蓋６０とをＰＣ収納ケース３０に収納し、更にＰＣ収納ケース３０を全体ケース２０に収納している。そして、全体ケース２０及びＰＣ収納ケース３０がそれぞれに、防滴、防塩、防塵性、防振性を備えたえた環境対策を施している。このため、コンピューター本体３１は２重に保護されており、外部環境の影響が及ばない。本実施形態は、このような構成を備えることより、要求されるあらゆるスペックのコンピューターを屋外対応が可能にすることができる。また、上述したＰＣ収納ケース３０に収納されたコンピューター本体３１及び冷却ユニット５０を顧客等の要望にそった性能のものとして供給することができる。
【００６７】
＜第２実施形態＞
次に本考案の第２実施形態に係る耐環境型コンピューターについて説明する。図６は本考案の第２実施形態に係る耐環境型コンピューターをその内部構成と共に示す斜視模式図である。本実施形態に係る耐環境型コンピューター１０Ａは、モニター６１を蓋部材２２の内側に配置し、蓋部材２２を開状態としたとき、モニター６１が起き上がるように構成した。その他の構成は第１実施形態に係る耐環境型コンピューター１０と同一である。
【００６８】
本実施形態に係る耐環境型コンピューター１０Ａは、第１実施形態に係る耐環境型コンピューター１０と同様に悪環境下でも確実に高性能を発揮し、また耐震製、耐衝撃性を備える。また、本実施形態に係る耐環境型コンピューター１０Ａは、蓋部材２２を開状態としたときモニター６１が起き上がるので、操作時におけるモニター６１の視認性に優れる。
【００６９】
＜その他の実施形態＞
なお、上記各実施形態では、耐環境型コンピューターには蓋部材を設けてモニターとキーボードを配置したが、モニターとキーボードを配置しないでもよい。この場合、外部にモニターとキーボードを配置して耐環境型コンピューターの設定や調整を行う。
【産業上の利用可能性】
【００７０】
本考案に係る耐環境型コンピューターは、悪環境化でも多様な用途に適正に使用できるものであり、産業上の利用可能性がある。
【符号の説明】
【００７１】
１０  ：耐環境型コンピューター
１０Ａ：耐環境型コンピューター
２０  ：全体ケース
２１  ：ケース本体
２２  ：蓋部材
３０  ：ＰＣ収納ケース
３１  ：コンピューター本体
４０  ：コネクタパネル
４１  ：ＰＣ電源スイッチ
４２  ：ＵＳＢ３．２コネクタ（外部接続端子）
４３  ：ＬＡＮコネクタ（外部接続端子）
４４  ：ＨＤＭＩ（登録商標）２．０出力コネクタ（外部接続端子）
４５  ：ＳＤＩコネクタ（外部接続端子）
４６  ：ＨＤＭＩ（登録商標）２．０ａ出力コネクタ（外部接続端子）
４７  ：ＨＤＭＩ（登録商標）２．０ｂ入力コネクタ（外部接続端子）
４８  ：電力入力端子
４９  ：電力出力端子
５０  ：冷却ユニット
６０  ：中蓋
６１  ：モニター
６２  ：キーボード
６３  ：外付けＳＳＤメモリ
７０  ：蓋内コネクタパネル
８０  ：送気装置
８１  ：外気導入ファン（送気装置）
８２  ：内気排出ファン（送気装置）
９０  ：養生コネクタパネル
９１  ：養生ＰＣ電源スイッチ
９２  ：養生ＬＡＮコネクタ（養生外部接続端子）
９３  ：養生ＳＤＩコネクタ（養生外部接続端子）
９４  ：養生ＨＤＭＩ（登録商標）２．０ａ出力コネクタ（養生外部接続端子）
９５  ：養生電力入力端子
９６  ：養生電力出力端子
９７  ：養生ＨＤＭＩ（登録商標）２．０ｂ入力コネクタ（養生外部接続端子）
１０１：冷媒導入チューブ
１０１Ａ：冷媒吸入ポート（接続ポート）
１０２：冷媒排出チューブ
１０２Ａ  ：冷媒排出ポート（接続ポート）
１０３：ＬＡＮケーブル
１０４：ＳＤＩケーブル
１０５：ＨＭＤＩケーブル
１０６：ＡＣケーブル
１１１：防振ゴム脚
１１２：防振ゴム脚
１２１：ＵＳＢケーブル
１２２：ＨＤＩＭ（登録商標）ケーブル
１２３：ＳＤＩケーブル
１２４：ＬＡＮケーブル
１２５：ＡＣケーブル
１３１：高解像度カメラ（外部装置）
１３２：外部モニター（外部装置）
１３３：コンピューター（外部装置）
１３４：インターネット
１３６：商用電源
【図１】
0003227375.tif 000003
【図２】
0003227375.tif 000004
【図３】
0003227375.tif 000005
【図４】
0003227375.tif 000006
【図５】
0003227375.tif 000007
【図６】
0003227375.tif 000008
【手続補正書】
【提出日】令和2年5月25日(2020.5.25)
【手続補正１】
【補正対象書類名】実用新案登録請求の範囲
【補正対象項目名】全文
【補正方法】変更
【補正の内容】
【実用新案登録請求の範囲】
【請求項１】
外部装置に接続可能であり、ＣＰＵでプログラムを実行することにより情報処理を行うコンピューター本体と、前記コンピューター本体とは別個に配置され、前記コンピューター本体を冷却する冷却ユニットと、防塵、防滴、防塩を含む耐環境手段、及び耐振動手段を備え、前記コンピューター本体を収納するＰＣ収納ケースと、前記冷却ユニット及び前記ＰＣ収納ケースを収納する全体ケースと、を備え、
前記全体ケースは、防塵、防滴、防塩を含む耐環境手段、及び耐振動手段を備え、前記ＰＣ収納ケース及び前記冷却ユニットを収納すると共に、防滴性、防塵性、及び防塩性を備えて外気の導入排出を行う送気装置、及び前記外部装置が接続される養生外部接続端子、及び外部電力が供給される養生電力入力端子を備え、
前記ＰＣ収納ケースは、前記全体ケースを介して電力を受け入れる電力入力端子、前記全体ケースを介して前記外部装置が接続される外部接続端子、及び前記冷却ユニットとの接続ポートを備えることを特徴とする耐環境型コンピューター。
【請求項２】
前記全体ケースはケース本体と、前記ケース本体に開閉可能に配置された蓋部材とを備え、
前記蓋部材は、閉状態では前記全体ケースに対する防水性及び防塵性を備え、
前記ケース本体の前記蓋部材を開状態としたとき外部に露出する位置には、前記コンピューター本体に接続されたモニターとキーボードとが配置されていることを特徴とする請求項１に記載の耐環境型コンピューター。
【請求項３】
前記全体ケースはケース本体と、前記ケース本体に開閉可能に配置された蓋部材とを備え、
前記蓋部材は、閉状態では前記全体ケースに対する防水性及び防塵性を備え、
前記蓋部材の前記全体ケース側には、前記コンピューター本体に接続されたモニターが配置され、
前記ケース本体の前記蓋部材を開状態としたとき外部に露出する位置には、前記コンピューター本体に接続されたキーボードが配置されていることを特徴とする請求項１に記載の耐環境型コンピューター。
【請求項４】
前記ＰＣ収納ケース及び前記全体ケースは金属製であることを特徴とする請求項１に記載の耐環境型コンピューター。
【請求項５】
前記全体ケースの前記送気装置には、前記全体ケースへの水滴の浸入を防ぐ防水ルーバーと、外気から塩分及び粉塵を除去するフィルタと、を備えることを特徴とする請求項１に記載の耐環境型コンピューター。
【請求項６】
前記冷却ユニットは、冷媒をコンピューター本体に循環させる循環ポンプ、前記冷媒の熱交換を行い冷却するラジエター、及び前記ラジエターに空気を吹き付ける冷却ファンを備えることを特徴とする請求項１に記載の耐環境型コンピューター。
【請求項７】
前記コンピューター本体は、ＧＰＵを備えたグラフィックボード、映像キャプチャーボードを含むことを特徴とする請求項１に記載の耐環境型コンピューター。
【請求項８】
前記ＰＣ収納ケースの外部接続端子、及び前記全体ケースの養生外部接続端子は、ＵＳＢ、映像音声出力端子、映像音声入力端子、ＳＤＩ、及びＬＡＮのうち少なくとも一つを含むことを特徴とする請求項１に記載の耐環境型コンピューター。
【手続補正２】
【補正対象書類名】明細書
【補正対象項目名】全文
【補正方法】変更
【補正の内容】
【考案の詳細な説明】
【技術分野】
【０００１】
本考案は、劣悪な環境下で使用できるコンピューターに関する。
【背景技術】
【０００２】
従来、多粉塵、高湿度等の悪環境下でコンピューターを使用するため、コンピューターを密閉箱中に配置するものが提案されている。
【０００３】
特許文献１には、情報処理コンピューターと、このコンピューターにて処理された情報を表示するディスプレイと、情報処理コンピューターを密閉状態で収容する収容ケースと、収容ケース内を前記情報処理コンピューターの動作可能な温度に調節する温度調節装置と、を備え、温度調節装置は、収容ケース内の空気の循環を促進するための内部空気循環手段、及び収容ケース内の熱の外気への放出を促進する外部放熱手段の少なくともいずれかと、収容ケース内の空気、発熱源、内部伝熱手段から前記収容ケース外の空気又は外部放熱手段へ伝熱する内外伝熱手段と、を有する環境型ターミナルが記載されている。
【０００４】
また、特許文献２には、コンピューターシステムを粉塵による障害から守るための装置であって、空気清浄機で生成され機器を覆う防塵箱内に供給されコンピューター本体や表示装置の冷却に使用された清浄空気が、防塵箱に設けられた所定の穴からキーボードなどのコンピューター入力装置に噴き出すようにし、コンピューター入力装置も粉塵から守るようにしたことを特徴とするコンピューター防塵装置が記載されている。
【先行技術文献】
【特許文献】
【０００５】
【特許文献１】特開２００３−５８２６７号公報
【特許文献２】特開２００６−３２３５２２号公報
【考案の概要】
【考案が解決しようとする課題】
【０００６】
悪天候の屋外で高性能のコンピューターを使用したいという要望がある。このような例として、悪天候中や海上での土木工事現場の状態を監視したり確認をしたりすることがある。この場合、高解像度で３６０度にわたり施工現場を撮影して撮影データを監視装置の配置箇所に配信する。また、屋外で実施されるeスポーツの対戦動画をネット配信することもその例となる。
【０００７】
しかし、特許文献１、２が開示された技術は、悪環境下で高負荷稼働が可能なシステムを実現できない。即ち、高性能なコンピューターを単に密閉箱に配置するだけでは、高負荷による発熱の影響が考慮されていないし、また必要とされる多様な周辺外部機器との接続や、コンピューターの設定作業を行うことについて考慮されていない。
【０００８】
そこで、本考案は、悪環境化であっても多様な外部装置を接続して使用できる高機能な耐環境型コンピューターを提供することを課題とする。
【課題を解決するための手段】
【０００９】
前記課題を解決する請求項１に記載の考案は、外部装置に接続可能であり、ＣＰＵでプログラムを実行することにより情報処理を行うコンピューター本体と、前記コンピューター本体とは別個に配置され、前記コンピューター本体を冷却する冷却ユニットと、防塵、防滴、防塩を含む耐環境手段、及び耐振動手段を備え、前記コンピューター本体を収納するＰＣ収納ケースと、前記冷却ユニット及び前記ＰＣ収納ケースを収納する全体ケースと、を備え、前記全体ケースは、防塵、防滴、防塩を含む耐環境手段、及び耐振動手段を備え、前記ＰＣ収納ケース及び前記冷却ユニットを収納すると共に、防滴性、防塵性、及び防塩性を備えて外気の導入排出を行う送気装置、及び前記外部装置が接続される養生外部接続端子、及び外部電力が供給される養生電力入力端子を備え、前記ＰＣ収納ケースは、前記全体ケースを介して電力を受け入れる電力入力端子、前記全体ケースを介して前記外部装置が接続される外部接続端子、及び前記冷却ユニットとの接続ポートを備える、ことを特徴とする耐環境型コンピューターである。
【００１０】
同じく請求項２に記載の考案は、請求項１に記載の考案において、前記全体ケースはケース本体と、前記ケース本体に開閉可能に配置された蓋部材とを備え、前記蓋部材は、閉状態では前記全体ケースに対する防水性及び防塵性を備え、前記ケース本体の前記蓋部材を開状態としたとき外部に露出する位置には、前記コンピューター本体に接続されたモニターとキーボードとが配置されていることを特徴とする。
【００１１】
同じく請求項３に記載の考案は、請求項１に記載の考案において、前記全体ケースはケース本体と、前記ケース本体に開閉可能に配置された蓋部材とを備え、前記蓋部材は、閉状態では前記全体ケースに対する防水性及び防塵性を備え、前記蓋部材の前記全体ケース側には、前記コンピューター本体に接続されたモニターが配置され、前記ケース本体の前記蓋部材を開状態としたとき外部に露出する位置には、前記コンピューター本体に接続されたキーボードが配置されていることを特徴とする請求項１に記載の耐環境型コンピューター。
【００１２】
同じく請求項４に記載の考案は、請求項１に記載の考案において、前記ＰＣ収納ケース及びケースは金属製であることを特徴とする。
【００１３】
同じく請求項５に記載の考案は、請求項１に記載の考案において、前記全体ケースの前記送気装置には、前記全体ケース内への水滴の浸入を防ぐ防水ルーバーと、外気から塩分及び粉塵を除去するフィルタと、を備えることを特徴とする。
【００１４】
同じく請求項６に記載の考案は、請求項１に記載の考案において、前記冷却ユニットは、冷媒をコンピューター本体に循環させる循環ポンプ、前記冷媒の熱交換を行い冷却するラジエター、及び前記ラジエターに空気を吹き付ける冷却ファンを備えることを特徴とする。
【００１５】
同じく請求項７に記載の考案は、請求項１に記載の考案において、前記コンピューター本体は、ＧＰＵを備えたグラフィックボード、映像キャプチャーボードを含むことを特徴とする。
【００１６】
同じく請求項８に記載の考案は、請求項１に記載の考案において、前記ＰＣ収納ケースの外部接続端子、及び前記全体ケースの養生外部接続端子は、ＵＳＢ、映像音声出力端子、映像音声入力端子、ＳＤＩ、及びＬＡＮのうち少なくとも一つを含むことを特徴とする。
【考案の効果】
【００１７】
本考案に係る耐環境型コンピューターによれば、悪環境化であっても多様な外部装置を接続して使用できる。即ち、本考案によれば、加熱、水分、塵埃、塩分、結露、振動による障害発生を防止できる。
【００１８】
請求項１に記載の考案によれば、コンピューター本体は、外部装置に接続可能であり、ＣＰＵでプログラムを実行することにより情報処理を行い、冷却ユニットは、前記コンピューター本体とは別個に配置され、前記コンピューター本体を冷却する。このため、コンピューター本体の過熱を防止でき、コンピューター本体の性能を維持することができる。
【００１９】
また、ＰＣ収納ケースは、防塵、防滴、防塩を含む耐環境手段、及び耐振動手段を備え、前記コンピューター本体を収納し、全体ケースは、前記冷却ユニット及び前記ＰＣ収納ケースを収納する。そして、全体ケースは、防塵、防滴、防塩を含む耐環境手段、及び耐振動手段を備え、前記ＰＣ収納ケース及び前記冷却ユニットを収納する。このため、コンピューター本体は、ＰＣ収納ケースと全体ケースとで二重に耐環境対策と防振対策がなされ、劣悪な環境化でも使用でき、耐環境型コンピューターの移動等の振動に対して影響を受けることがない。
【００２０】
更に、全体ケースには、防滴性、防塵性、及び防塩性を備えて外気の導入排出を行う送気装置、及び前記外部装置が接続される養生接続端子及び電力の養生入力端子を備え、前記ＰＣ収納ケースは、前記全体ケースを介して、電力を受け入れる入力端子、前記外部装置接続される外部接続端子、及び前記冷却ユニットとの接続ポートを備える。このため、全体ケースの送気装置から水滴、塵芥、塩分が内部に侵入することが防止される他、全体ケースの養生入力端子や養生外部接続端子から水滴、塵芥、塩分が全体ケースの内部に侵入することがない。
【００２１】
また、請求項２に記載の耐環境型コンピューターによれば、前記全体ケースはケース本体と、前記ケース本体に開閉可能に配置された蓋部材とを備え、前記蓋部材は、閉状態では前記全体ケースに対する防水性及び防塵性を備えており、前記ケース本体の前記蓋部材を開状態としたとき外部に露出する位置には、前記コンピューター本体に接続されたモニターとキーボードとが配置されている。
【００２２】
このため、蓋部材を開けた状態で、モニターを視認できると共に、キーボードの操作を行うことができる。そして、これらの操作等が終了した段階で蓋部材を閉状態とすれば、耐環境型コンピューターは耐環境性を備える状態となる。よって、モニターやキーボードを新たに配置することなくコンピューター本体の調整、設定等をモニターやキーボードを新たに配置することなく行える。
【００２３】
また、請求項３に記載の耐環境型コンピューターによれば、前記全体ケースはケース本体と、前記ケース本体に開閉可能に配置された蓋部材とを備え、前記蓋部材は、閉状態では前記全体ケースに対する防水性及び防塵性を備えており、前記蓋部材の前記全体ケース側には、前記コンピューター本体に接続されたモニターが配置されており、前記ケース本体の前記蓋部材を開状態としたとき外部に露出する位置には、前記コンピューター本体に接続されたキーボードが配置されている。
【００２４】
このため、蓋部材を開けた状態で、モニターを視認できると共に、キーボードの操作を行うことができる。そして、これらの操作等が終了した段階で蓋部材を閉状態とすれば、耐環境型コンピューターは耐環境性を備える状態となる。よって、モニターやキーボードを新たに配置することなくコンピューター本体の調整、設定等をモニターやキーボードを新たに配置することなく行える。
【００２５】
また、請求項４に記載の耐環境型コンピューターによれば、前記ＰＣ収納ケース及び前記全体ケースは金属製である。このため、耐水性、体塩性、耐久性、及び放熱性に優れ、衝撃に対しても破損や変形することなく、コンピューター本体や冷却ユニットを保護することができる。
【００２６】
また、請求項５に記載の耐環境型コンピューターによれば、前記全体ケースの前記送気装置には、前記全体ケース内への水滴の浸入を防ぐ防水ルーバーと、外気からの塩分及び粉塵を除去するフィルタとを備える。よって、送気装置から水滴、塩分、粉塵が全体ケース内に侵入することを防止できる。このため、コンピューター本体や冷却ユニットや各種配線及び接続部材を水滴、塩分、粉塵で損傷することを防止できる。
【００２７】
また、請求項６に記載の耐環境型コンピューターによれば、前記冷却ユニットは、冷媒をコンピューター本体に循環させる循環ポンプ、前記冷媒の熱交換を行い冷却するラジエター、及び前記ラジエターに空気を吹き付ける冷却ファンを備える。よって、ＰＣ収納ケース内のコンピューター本体を効率良く冷却できる。また、ＰＣ収納ケースにファン等を配置する必要がないので、ＰＣ収納ケースの密閉性、耐環境性を損なうことがない。
【００２８】
更に、請求項７に記載の耐環境型コンピューターによれば、前記コンピューター本体は、ＧＰＵを備えたグラフィックボード、映像キャプチャーボードを含む。よって、高度の処理能力を必要とする映像処理、映像キャプチャー、映像配信等を高性能に行うことができる。
【００２９】
そして、請求項８に記載の耐環境型コンピューターによれば、前記ＰＣ収納ケースの外部接続端子、及び前記全体ケースの養生外部接続端子は、ＵＳＢ、映像音声出力端子、映像音声入力端子、ＳＤＩ、及びＬＡＮのうち少なくとも一つを含む。よって、外部装置として様々な機能を有する装置を接続できる。
【図面の簡単な説明】
【００３０】
【図１】本考案の実施形態に係る耐環境型コンピューターをその内部構成と共に示す斜視模式図である。
【図２】同耐環境型コンピューターのＰＣ収納ケースに配置したコネクタパネルを示す模式図である。
【図３】同耐環境型コンピューターのケースに配置した養生コネクタパネルを示す模式図である。
【図４】同耐環境型コンピューターの使用状態を示す斜視模式図である。
【図５】同耐環境型コンピューターを屋外に配置して運用する状態の一例を示す模式図である。
【図６】本考案の第２実施形態に係る耐環境型コンピューターをその内部構成と共に示す斜視模式図である。
【考案を実施するための形態】
【００３１】
本考案を実施するための形態に係る耐環境型コンピューターについて説明する。
【００３２】
＜第１実施形態＞
まず本考案の第１実施形態に係る耐環境型コンピューターについて説明する。図１は本考案の実施形態に係る耐環境型コンピューターをその内部構成と共に示す斜視模式図、図２は同耐環境型コンピューターのＰＣ収納ケースに配置したコネクタパネルを示す模式図、図３は同耐環境型コンピューターのケースに配置した養生コネクタパネルを示す模式図、図４は同耐環境型コンピューターの使用状態を示す斜視模式図、図５は同耐環境型コンピューターを屋外に配置して運用する状態の一例を示す模式図である。
【００３３】
〔耐環境型コンピューター１０の使用形態〕
本実施形態に係る耐環境型コンピューター１０は、海上での土木工事現場における施工状態の監視や確認するため高解像度で３６０度にわたり施工現場を撮影して撮影データを監視装置に配信することを想定している。近年、土木、建築現場では、新技術を活用したシステムの使用を求められており、このようなシステムを使用する際には、高スペックのコンピューターを使用しなければならないケースが多い。
【００３４】
また、他の映像業界や高スペックカメラ（４Ｋ、８Ｋ、３６０°カメラ）を使用した映像収録、処理、配信する業界での使用も同様に高スペックのコンピューターを必要とする。更に、土木、建築でも同様のカメラを使用することが望まれている。そして、ＡＲ、ＶＲ、ＭＲ、ＡＩ、ＰＣゲーム、ｅスポーツ等への適用をも考慮すると、これらの場合も上述した例と同様にコンテンツの容量が大きく、これを処理する高スペックのコンピューターが要望されている。本実施形態に係る耐環境型コンピューターは、各使用形態において、高スペックのコンピューターを悪条件下において屋外で使用することを可能とする。
【００３５】
〔耐環境型コンピューター１０の概略構成〕
以下、耐環境型コンピューター１０の構成について説明する。図１に示すように、耐環境型コンピューター１０は、全体ケース２０内にＰＣ収納ケース３０と、冷却ユニット５０とを配置して構成される。ＰＣ収納ケース３０には、コンピューター本体３１が配置される。
【００３６】
耐環境型コンピューター１０には、外部装置として上記各装置の他、各種撮像装置、画像処理装置、ルーター、ＡＲ機器、ＶＲ機器、映像編集装置、映像処理装置を接続することや、各種装置に電力を供給することができる。なお、耐環境型コンピューター１０は、他の用途に使用することができ、必要に応じて外部装置を適宜選択して接続する。
【００３７】
〔ＰＣ収納ケース３０〕
ＰＣ収納ケース３０は、防塵、防滴、防塩を含む耐環境手段、及び耐振動手段を備える。全体ケース２０は全体を金属、例えばステンレス板で形成した箱状体であり、箱体の一つの側面にコネクタパネル４０を備える。コネクタパネル４０には、外部接続端子として各種コネクタ（端子）が配置されている。本例ではＰＣ収納ケース３０を金属であるステンレス板で形成としているので、放熱性に優れる、防錆性が良好である。なお、ＰＣ収納ケース３０を他の金属、例えばアルミニウム板で形成することができる。
【００３８】
ＰＣ収納ケース３０は、防塵、防滴、防衛を含む耐環境手段として、ゴムシール等の公知の手段を使用している。耐振動手段は、ゴムやジェルを使用することができ、耐衝撃性を備える。本例では、防振ゴム脚１１２をＰＣ収納ケース３０の下面の４箇所に配置している。また、ＰＣ収納ケース３０は、全体ケース２０に防振性、耐衝撃性を損ねない状態で全体ケース２０にネジ等で固定されている。また、冷却ユニット５０も同様に耐震、耐衝撃性を備えつつ全体ケース２０にネジ等で固定されている。
【００３９】
コネクタパネル４０には、図２に示すように、ＰＣ電源スイッチ４１と外部接続端子とが配置されている。本例では、コネクタパネル４０は、外部接続端子である６個のＵＳＢ３．２コネクタ４２、２個のＬＡＮコネクタ４３、映像音声出力端子であるＨＤＭＩ（登録商標）２．０出力コネクタ４４、ＳＤＩコネクタ４５、映像音声出力端子であるＨＤＭＩ（登録商標）２．０ａ出力コネクタ４６、映像音声入力端子である４個のＨＤＭＩ（登録商標）２．０ｂ入力コネクタ４７の他、電力入力端子４８、５個の電力出力端子４９を備える。
【００４０】
〔コネクタパネル４０〕
また、コネクタパネル４０には、冷却ユニット５０からの冷媒を吸入、排出するためのチューブが接続される接続ポートが配置されている。本例では、接続ポートとして、冷媒吸入ポート１０１Ａ、冷媒排出ポート１０２Ａを備える。これらの冷媒吸入ポート１０１Ａ及び冷媒排出ポート１０２Ａには、冷却ユニット５０からの冷媒導入チューブ１０１、及び冷媒排出チューブ１０２が接続されている。
【００４１】
ＰＣ電源スイッチ４１を操作することでコンピューター本体３１をオン、オフする。ＵＳＢ３．２コネクタ４２には、後述する送風装置である外気導入ファン８１、内気排出ファン８２がＵＳＢケーブル１２１により接続されて回転数等が制御される他、後述する蓋内コネクタパネル７０を経由してキーボード６２や外付けＳＳＤメモリ６３がＵＳＢケーブル１２１で接続されている。また外部にＷｉ−Ｆｉ装置が配置されていない場合、必要によりＷｉ−Ｆｉ装置を接続することができる。
【００４２】
外付けＳＳＤメモリ６３には、処理前、処理後の映像データや配信する映像データを格納する。蓋内コネクタパネル７０には、図示していないＵＳＢ３．２コネクタ等のコネクタや電源出力を配置することができる。これらは必要に応じて接続される。
【００４３】
ＬＡＮコネクタ４３には、後述する養生コネクタパネル９０の養生外部接続端子である養生ＬＡＮコネクタ９２からのケーブルが接続されている。また、養生外部接続端子であるＨＤＭＩ（登録商標）２．０出力コネクタ４４はモニター６１に接続されている。
【００４４】
更に、ＳＤＩコネクタ４５は、養生外部接続端子である養生コネクタパネル９０の養生ＳＤＩコネクタ９３に接続され、ＨＤＭＩ（登録商標）２．０ａ出力コネクタ４６は、養生外部接続端子である養生ＨＤＭＩ（登録商標）２．０ａ出力コネクタ９４に接続されている。そして、ＨＤＭＩ（登録商標）２．０ｂ入力コネクタ４７は、養生ＨＤＭＩ（登録商標）２．０ｂ入力コネクタ９７に接続されている。
【００４５】
更に、電力入力端子４８には、後述する養生外部接続端子である養生電力入力端子９５からの電源プラグが接続されている。また、電力出力端子４９には、モニター６１、外気導入ファン８１、内気排出ファン８２の駆動電力供給装置が接続されている。この駆動電力供給装置はＵＳＢ電力で外気導入ファン８１、内気排出ファン８２を駆動できない場合に使用される。
【００４６】
〔コンピューター本体３１〕
コンピューター本体３１は、ＣＰＵ(Central  Processing  Unit)によりプログラムを実行することにより所定の情報処理を行う。本実施形態では、コンピューター本体３１は、映像処理や配信を行える高機能のものであり、コンピューター本体３１の構成は公知である。即ち、コンピューター本体３１は、電源装置、マザーボード、高クロックで動作するＣＰＵ、メインメモリである大容量メモリ(例えば３２ＧＢ)、高速大容量の内蔵ストレージ（例えばＭ．２ＳＳＤ：１ＴＢ）、ＧＰＵ（Graphics  Processing  Unit）を内蔵したビデオボード、及び映像キャプチャー装置等を備える。
【００４７】
本実施形態では、ＣＰＵとＧＰＵとは、冷媒（例えば精製水）で冷却される。また、冷媒は冷却ユニット５０に循環されて冷却される。ケース本体２１には、冷媒循環用のポンプ、リザーバタンクを備え、冷媒を冷却ユニット５０に送出する。
【００４８】
〔冷却ユニット５０〕
冷却ユニット５０は、ラジエターとこのラジエターに空気を吹き付けるファン（例えば４台）を備える。
【００４９】
〔全体ケース２０〕
全体ケース２０は、ケース本体２１と、蓋部材２２とで構成される。ケース本体２１には、ＰＣ収納ケース３０及び冷却ユニット５０が収納される。蓋部材２２は、ケース本体２１の上部に蝶番を介して開閉可能に配置されている。ケース本体２１の上面は蓋部材２２で覆われている。この蓋部材２２は、閉状態では水や塵芥が進入しないようにシール部材を介してケース本体２１の上側に配置されている。ケース本体２１、蓋部材２２は、金属、例えばステンレス板で形成している。また、蓋部材２２は、ケース本体２１に対して閉状態のとき密閉状態を保つロック装置を備えることが望ましい。本例では、ケース本体２１、蓋部材２２をステンレス板製としているので放熱性、防錆性が良好である。なお、ケース本体２１、蓋部材２２を他の金属、例えばアルミニウム板で形成することができる。
【００５０】
また、ケース本体２１の上面のうち蓋部材２２を開状態としたとき出する部分は、アルミニウム等の金属板からなる中蓋６０が配置されている。この中蓋６０により、ケース本体２１の上面は塞がれている。ここで、中蓋６０は、ケース本体２１との接合部における防滴、防塵、防塩性を確保するため、ケース本体２１との周囲接合部にゴムシール等を配置し、ケース本体２１にネジ止めする構成としている。そして、全体ケース２０は、防塵、防水（防滴）、耐震（耐衝撃を含む）を含む耐環境手段を備える。防塵、防水は、ゴムシール等の公知の手段を使用して実現する。耐振性は、ゴムやジェルを使用して実現することができ、耐衝撃性をも備えるものとする。本例では、防振ゴム脚１１１をケース本体２１の下面に４箇所配置している。なお、他の手段としてケース本体２１の内部底面にゴムシートやジェルシートを配置することができる。
【００５１】
ケース本体２１の対向する２つの側面には、送気装置８０として、上述した外気導入ファン８１と内気排出ファン８２とが配置されている。外気導入ファン８１から外気を取り入れ、内気排出ファン８２によりケース本体２１内で暖まった空気を排出する。これにより、冷却ユニット５０から排出された熱を外部に排出してケース本体２１の内部温度が所定の値より高くならないようにする。これにより、コンピューター本体３１の処理速度の低下を防止する。
【００５２】
外気導入ファン８１、内気排出ファン８２は、後述するＰＣ収納ケース３０のコネクタパネル４０に配置されたＵＳＢ３．２コネクタ４２に接続され、コンピューター本体３１によりファンの回転数が制御されている。外気導入ファン８１、内気排出ファン８２のファン駆動電力は、ＵＳＢ給電で足りない場合は後述するＰＣ収納ケース３０のコネクタパネル４０の電力出力端子４９から供給することができる。なお、全体ケース２０に配置する送気装置８０の数や配置は図示した例に限らず適宜変更できる。
【００５３】
〔養生コネクタパネル９０〕
全体ケース２０を構成するケース本体２１の一側面には、養生外部接続端子である各種の養生コネクタを配置した養生コネクタパネル９０が配置されている。各養生コネクタは、コネクタ本来の電気的機能を、防水性、抜け止め、耐衝撃性等を備えて実現するものである。図１では、コネクタの種類別に１個ずつを表示している。
【００５４】
本例では、図３に示すように、養生コネクタパネル９０には、養生ＰＣ電源スイッチ９１と、養生外部接続端子が配置されている。本例では、養生コネクタパネル９０は、養生外部接続端子である養生ＬＡＮコネクタ９２、養生ＳＤＩコネクタ９３、養生ＨＤＭＩ（登録商標）２．０ａ出力コネクタ９４、養生電力入力端子９５、養生電力出力端子９６、映像入力端子である養生ＨＤＭＩ（登録商標）２．０ｂ入力コネクタ９７を備える。
【００５５】
本実施形態では、コネクタパネル４０と養生コネクタパネル９０とは、ＨＤＭＩ（登録商標）ケーブル１２２、ＳＤＩケーブル１２３、ＬＡＮケーブル１２４、ＡＣケーブル１２５で接続されている。
【００５６】
また、本実施形態では、養生ＰＣ電源スイッチ９１を操作することでコネクタパネル４０への電力をオンオフする。
【００５７】
養生ＬＡＮコネクタ９２には、外部からのＬＡＮケーブルを接続し、ＨＵＢを介してコネクタパネル４０のＬＡＮコネクタ４３に接続され、コンピューター本体３１に接続されている。養生ＬＡＮコネクタ９２には外部装置として他のコンピューター、ルーター、撮像装置が接続できる。
【００５８】
また、養生ＳＤＩコネクタ９３には外部装置として６ＧＳＤＩ対応機器、例えば映像編集、映像処理機器が接続される。この養生ＳＤＩコネクタ９３は、コネクタパネル４０のＳＤＩコネクタ４５に接続され、コンピューター本体３１に接続される。
【００５９】
養生ＨＤＭＩ（登録商標）２．０ａ出力コネクタ９４には、外部装置として外部モニターやＡＲ（Augmented Reality：拡張現実）機器、ＶＲ（Virtual Reality：仮想現実）機器等が接続される。更に、養生電力入力端子９５には、外部電源から１００Ｖの電力が供給され、養生電力出力端子９６のうち２個は外部機器に接続し、外部機器に電力を供給する。また、他のものは、モニター６１に電力を供給し、全体ケース２０に配置する外気導入ファン８１、内気排出ファン８２に電力を供給する。
【００６０】
〔第１実施形態の作用及び効果〕
第１実施形態に係る耐環境型コンピューター１０を海岸工事等の監視箇所に配置することを想定する。図５は同耐環境型コンピューターを屋外に配置して運用する状態の一例を示す模式図である。図５に示すように、耐環境型コンピューター１０には、交流１００Ｖの商用電源１３６から養生コネクタパネル９０の養生電力入力端子９５に電力を供給する。
【００６１】
更に、耐環境型コンピューター１０には、外部装置として例えば画角３６０°の高解像度カメラ１３１、外部モニター１３２、他のコンピューター１３３を接続し。インターネット１３４を介して現場から離れた位置に配置されたコンピューター（監視装置）１３５に高精度３６０°映像を配信する。また、監視装置１３５から耐環境型コンピューター１０、高解像度カメラ１３１等の遠隔操作を行う。耐環境型コンピューター１０の設定や調整は、蓋部材２２を開状態としてモニター６１の確認、キーボード６２を操作することにより行う。なお、本実施例では、蓋部材２２を開状態としても、中蓋６０とケース本体２１とは防滴性、防塵性、防塩性を備えて接合されているので、ケース本体２１内に水、塵芥、塩分が浸入することを防止できる。
【００６２】
そして、設定や調整が終了した後、蓋部材２２を閉状態としてロック装置を使用して蓋部材２２をケース本体２１に固定する。これにより、全体ケース２０内は防水、防滴、防塵、防塩状態とすることができ、更にケース本体２１は、全体ケース２０で防護された状態となる。このため、雨天や強風下の屋外においても、コンピューター本体３１を水、埃、塩分から保護して通常の環境と同様に高性能に運用することができる。
【００６３】
また、コンピューター本体３１は冷却ユニット５０で冷却される冷媒で冷却されるので、ＣＰＵやＧＰＵの温度が上昇してそれらの性能が低下することがない。そして、冷却ユニット５０からの熱は、全体ケース２０の外気導入ファン８１及び内気排出ファン８２により全体ケース２０の外部に排出され、外気が導入されるので、全体ケース２０の内部の温度が上昇することはない。
【００６４】
また、外気導入ファン８１及び内気排出ファン８２には、防水ルーバーと、外気からの塩分及び粉塵を除去するフィルタとが配置されている。このため、水分、粉塵、及び塩分が外気導入ファン８１、内気排出ファン８２から全体ケース２０内に浸入するのを防止できる。更に、全体ケース２０及びＰＣ収納ケース３０には、防振性、耐衝撃性を備える防振ゴム脚１１１、１１２を配置しているので、耐震性、耐衝撃性に優れている。
【００６５】
耐環境型コンピューター１０には、上記外部装置の他、各種撮像装置、画像処理装置、ルーター、ＡＲ機器、ＶＲ機器、映像編集装置、映像処理装置を接続することや、各種装置に電力を供給することができる。なお、耐環境型コンピューター１０は、他の用途に使用することができ、必要に応じて外部装置を適宜選択して接続する。
【００６６】
上記実施形態ではコンピューター本体３１と中蓋６０とをＰＣ収納ケース３０に収納し、更にＰＣ収納ケース３０を全体ケース２０に収納している。そして、全体ケース２０及びＰＣ収納ケース３０がそれぞれに、防滴、防塩、防塵性、防振性を備えたえた環境対策を施している。このため、コンピューター本体３１は２重に保護されており、外部環境の影響が及ばない。本実施形態は、このような構成を備えることより、要求されるあらゆるスペックのコンピューターを屋外対応が可能にすることができる。また、上述したＰＣ収納ケース３０に収納されたコンピューター本体３１及び冷却ユニット５０を顧客等の要望にそった性能のものとして供給することができる。
【００６７】
＜第２実施形態＞
次に本考案の第２実施形態に係る耐環境型コンピューターについて説明する。図６は本考案の第２実施形態に係る耐環境型コンピューターをその内部構成と共に示す斜視模式図である。本実施形態に係る耐環境型コンピューター１０Ａは、モニター６１を蓋部材２２の内側に配置し、蓋部材２２を開状態としたとき、モニター６１が起き上がるように構成した。その他の構成は第１実施形態に係る耐環境型コンピューター１０と同一である。
【００６８】
本実施形態に係る耐環境型コンピューター１０Ａは、第１実施形態に係る耐環境型コンピューター１０と同様に悪環境下でも確実に高性能を発揮し、また耐震製、耐衝撃性を備える。また、本実施形態に係る耐環境型コンピューター１０Ａは、蓋部材２２を開状態としたときモニター６１が起き上がるので、操作時におけるモニター６１の視認性に優れる。
【００６９】
＜その他の実施形態＞
なお、上記各実施形態では、耐環境型コンピューターには蓋部材を設けてモニターとキーボードを配置したが、モニターとキーボードを配置しないでもよい。この場合、外部にモニターとキーボードを配置して耐環境型コンピューターの設定や調整を行う。
【産業上の利用可能性】
【００７０】
本考案に係る耐環境型コンピューターは、悪環境化でも多様な用途に適正に使用できるものであり、産業上の利用可能性がある。
【符号の説明】
【００７１】
１０  ：耐環境型コンピューター
１０Ａ：耐環境型コンピューター
２０  ：全体ケース
２１  ：ケース本体
２２  ：蓋部材
３０  ：ＰＣ収納ケース
３１  ：コンピューター本体
４０  ：コネクタパネル
４１  ：ＰＣ電源スイッチ
４２  ：ＵＳＢ３．２コネクタ（外部接続端子）
４３  ：ＬＡＮコネクタ（外部接続端子）
４４  ：ＨＤＭＩ（登録商標）２．０出力コネクタ（映像音声出力端子：外部接続端子）
４５  ：ＳＤＩコネクタ（外部接続端子）
４６  ：ＨＤＭＩ（登録商標）２．０ａ出力コネクタ（映像音声出力端子：外部接続端子）
４７  ：ＨＤＭＩ（登録商標）２．０ｂ入力コネクタ（外部接続端子）
４８  ：電力入力端子
４９  ：電力出力端子
５０  ：冷却ユニット
６０  ：中蓋
６１  ：モニター
６２  ：キーボード
６３  ：外付けＳＳＤメモリ
７０  ：蓋内コネクタパネル
８０  ：送気装置
８１  ：外気導入ファン（送気装置）
８２  ：内気排出ファン（送気装置）
９０  ：養生コネクタパネル
９１  ：養生ＰＣ電源スイッチ
９２  ：養生ＬＡＮコネクタ（養生外部接続端子）
９３  ：養生ＳＤＩコネクタ（養生外部接続端子）
９４  ：養生ＨＤＭＩ（登録商標）２．０ａ出力コネクタ（映像音声出力端子：養生外部接続端子）
９５  ：養生電力入力端子
９６  ：養生電力出力端子
９７  ：養生ＨＤＭＩ（登録商標）２．０ｂ入力コネクタ（映像音声入力端子：養生外部接続端子）
１０１：冷媒導入チューブ
１０１Ａ：冷媒吸入ポート（接続ポート）
１０２：冷媒排出チューブ
１０２Ａ：冷媒排出ポート（接続ポート）
１０３：ＬＡＮケーブル
１０４：ＳＤＩケーブル
１０５：ＨＤＭＩ（登録商標）ケーブル
１０６：ＡＣケーブル
１１１：防振ゴム脚
１１２：防振ゴム脚
１２１：ＵＳＢケーブル
１２２：ＨＤＭＩ（登録商標）ケーブル
１２３：ＳＤＩケーブル
１２４：ＬＡＮケーブル
１２５：ＡＣケーブル
１３１：高解像度カメラ（外部装置）
１３２：外部モニター（外部装置）
１３３：コンピューター（外部装置）
１３４：インターネット
１３６：商用電源